(57)【特許請求の範囲】
【請求項１】
上面（２０２）、下面（２０４）、２つの側面（２０６）、ボディ面（２１０）および外面（２０８）であって、これらの面は接合部で接続され、そして接続されたときのこれらの面が、中身の負荷がかかるときのバックパック本体を規定する、面と、
少なくとも２つの肩支持部材（３００）であって、該肩支持部材（３００）はそれぞれ、遠位端（３２０）および近位端（３１０）を有し、該肩支持部材（３００）の近位端（３１０）は、該上面（２０２）と該ボディ面（２１０）との間の移行領域中の第１の接合部（２１２）において該バックパック本体に接続され、該肩支持部材（３００）の遠位端（３２０）は、該バックパック本体に接続可能である、少なくとも２つの肩支持部材と、
該側面（２０６）の１つに隣接し、かつそれに沿って配置された少なくとも１つの面支持部材（４００）であって、該少なくとも１つの面支持部材は、該バックパック本体の側面に面する面を有し、かつ該外面（２０８）と該側面（２０６）の１つとの間の移行領域中の第２の接合部（２１４）において該バックパック本体に接続された近位端（４１０）と、該肩支持部材（３００）の遠位端（３２０）で該肩支持部材（３００）の１つに、該バックパック本体の荷重の方向を変えるように機能し、ここで、該バックパック本体の重心がより高く、かつ着用者のより近くに移動するように接続された遠位端（４２０）とを有する、少なくとも１つの面支持部材と、
を備える、エルゴノミックバックパック（２００）。
【請求項２】
前記上面（２０２）、前記下面（２０４）、前記２つの側面（２０６）、前記ボディ面（２１０）および前記外面（２０８）のうち少なくとも１つは、少なくとも部分的に透明である、請求項１に記載のバックパック。
【請求項３】
前記上面（２０２）、前記下面（２０４）、前記２つの側面（２０６）、前記ボディ面（２１０）および前記外面（２０８）のうち少なくとも１つは、メッシュを含む、請求項２に記載のバックパック。
【請求項４】
前記上面（２０２）、前記下面（２０４）、前記２つの側面（２０６）、前記ボディ面（２１０）および前記外面（２０８）のうち少なくとも１つは、１つ以上のストラップを含む、請求項２に記載のバックパック。
【請求項５】
下部部材（５３０）をさらに備え、該下部部材（５３０）は、
（１）前記外面（２０８）と前記下面（２０４）との間の移行領域中の第３の接合部（２１６）において前記バックパック本体に接続された近位端（５６０）と、
（２）それぞれが、前記肩支持部材（３００）のそれぞれの遠位端（３２０）に接続された２つの遠位端（５４０、５５０）と
を有する、請求項１に記載のバックパック。
【請求項６】
少なくとも１つの下部支持部材（５７０）をさらに備え、該少なくとも１つの下部支持部材（５７０）は、前記下面（２０４）に接続された近位端と前記下部部材に接続された遠位端とを有する、請求項５に記載のバックパック。
【請求項７】
２つの下部部材（５００）をさらに備え、該下部部材（５００）はそれぞれ、
（１）前記外面（２０８）と前記下面（２０４）との間の移行領域中の第３の接合部（２１６）において前記バックパック本体に接続された近位端（５１０）と、
（２）該肩支持部材（３００）のそれぞれの遠位端（３２０）に接続された遠位端（５２０）と
を有する、請求項１に記載のバックパック。
【請求項８】
少なくとも１つの下部支持部材（５７０）をさらに備え、該少なくとも１つの下部支持部材は、前記下面（２０４）に接続された近位端と、前記下部部材の１つに接続された遠位端とを有する、請求項７に記載のバックパック。
【請求項９】
上部部材（６００）をさらに備え、該上部部材は、
（１）前記上面（２０２）と前記外面（２０８）との間の移行領域中の第４の接合部（２１８）において前記バックパック本体に接続された近位端と、
（２）それぞれが前記肩支持部材（３００）の各々の１つに接続された２つの遠位端と、
を有する、請求項１に記載のバックパック。
【請求項１０】
少なくとも１つの上部支持部材をさらに備え、該少なくとも１つの上部支持部材（６４０）は、前記上面（２０２）に接続された近位端（６５０）と、前記上部部材に接続された遠位端（６６０）とを有する、請求項９に記載のバックパック。
【請求項１１】
２つの上部部材（６００）をさらに備え、該上部部材（６００）はそれぞれ、
（１）前記上面（２０２）と前記外面（２０８）との間の移行領域中の第４の接合部（２１８）において前記バックパック本体に接続された近位端と、
（２）前記肩支持部材（３００）の１つに接続された遠位端と
を有する、請求項１に記載のバックパック。
【請求項１２】
少なくとも１つの上部支持部材（６４０）をさらに備え、該少なくとも１つの上部支持部材（６４０）は、前記上面（２０２）に接続された近位端（６５０）と、前記上部部材（６００）の１つに接続された遠位端（６６０）とを有する、請求項１１に記載のバックパック。
【請求項１３】
前記ボディ面（２１０）に隣接して配置された腰支持部材をさらに備える、請求項１に記載のバックパック。
【請求項１４】
前記第１の接合部（２１２）において前記バックパック本体に沿って配置され、前記肩ストラップのそれぞれに接続されるヨークをさらに備える、請求項１に記載のバックパック。
【請求項１５】
バックパック本体内部コンパートメントをさらに備え、該内部コンパートメント内にアイテムが配置される場合、該アイテムを肉眼で見ることができる、請求項１に記載のバックパック。
【請求項１６】
上面（２０２）、下面（２０４）、２つの側面（２０６）、ボディ面（２１０）および外面（２０８）であって、これらの面は接合部で接続され、そして接続されたときのこれらの面が、中身の負荷がかかるときのバックパック本体を規定する、面と、
少なくとも２つの肩支持部材（３００）であって、該肩支持部材（３００）はそれぞれ、遠位端（３２０）および近位端（３１０）を有し、該肩支持部材（３００）の近位端（３１０）は、該上面（２０２）と該ボディ面（２１０）との間の移行領域中の第１の接合部（２１２）において該バックパック本体に接続される、少なくとも２つの肩支持部材（３００）と、
該側面（２０６）の１つに隣接し、かつそれに沿って配置された少なくとも１つの面支持部材（４００）であって、該少なくとも１つの面支持部材は、該バックパック本体の側面に面する面を有し、かつ該外面（２０８）と該側面（２０６）の１つとの間の移行領域中の第２の接合部（２１４）において該バックパック本体に接続された近位端（４１０）と、該肩支持部材（３００）の遠位端（３２０）で、該肩支持部材（３００）の１つに、該バックパック本体の荷重の方向を変えるように機能し、ここで、該バックパック本体の重心がより高く、かつ着用者のより近くに移動するように接続された遠位端（４２０）とを有する、少なくとも１つの面支持部材（４００）と、
少なくとも１つの下部部材（５００）であって、該少なくとも１つの下部部材は、前記外面（２０８）と前記下面（２０４）との間の移行領域中の第３の接合部（２１６）において前記バックパック本体に接続された近位端と、前記肩支持部材（３００）の１つの遠位端（３２０）に接続された少なくとも１つの遠位端とを有する、少なくとも１つの下部部材と
を備える、エルゴノミックバックパック（２００）。
【請求項１７】
前記上面（２０２）、前記下面（２０４）、前記２つの側面（２０６）、前記ボディ面（２１０）および前記外面（２０８）の少なくとも１つは少なくとも部分的に透明である、請求項１６に記載のバックパック。
【請求項１８】
前記下面（２０４）は、前記上面（２０２）、前記２つの側面（２０６）、前記ボディ面（２１０）および前記外面（２０８）よりも強度が高い、請求項１６に記載のバックパック。
【請求項１９】
内部コンパートメント、上面（２０２）、下面（２０４）、２つの側面（２０６）、ボディ面（２１０）および外面（２０８）であって、これらの面は接合部で接続され、そして接続されたときのこれらの面が、中身の負荷がかかるときのバックパック本体を規定する、面と、
一対の肩ストラップ（３００）であって、該肩ストラップはそれぞれ、遠位端（３２０）および近位端（３１０）を有し、該近位端（３１０）は、該上面（２０２）と該ホディ面（２１０）との間の移行領域中の第１の接合部（２１２）において該バックパック本体に接続される、一対の肩ストラップと、
一対の面ストラップ（４００）であって、該面ストラップ（４００）はそれぞれ、該側面（２０６）の１つに隣接し、かつそれに沿って配置され、該面ストラップはそれぞれ、該バックパック本体の側面に面する面を有し、かつ該側面（２０６）の１つと該外面（２０８）との間の移行領域中の第２の接合部（２１４）において該バックパック本体に接続された近位端（４１０）と、該肩ストラップの遠位端（３２０）で該肩ストラップ（３００）の１つに、該バックパック本体（２００）の荷重の方向を変えるように機能し、ここで、該バックパック本体の重心がより高く、かつ着用者のより近くに移動するように接続された遠位端（４２０）とを有する、一対の面ストラップと、
一対の下部ストラップ（５００）であって、該下部ストラップ（５００）はそれぞれ、前記外面（２０８）と前記下面（２０４）との間の移行領域中の第３の接合部（２１６）において前記バックパック本体に接続された近位端と、前記肩ストラップの遠位端（３２０）のそれぞれに接続された遠位端とを有し、該下部ストラップ（５００）の各々は、少なくとも部分的に該下面（２０４）に隣接して配置されている、一対の下部ストラップ（５００）と、
該下面（２０４）にその端部で取り付けられている少なくとも１つの下部支持ストラップ（５７０）と、
一対の上部ストラップ（６００）であって、該上部ストラップ（６００）はそれぞれ、該上面（２０２）と該外面（２０８）との間の移行領域中の第４の接合部（２１８）において該バックパック本体に接続された近位端と、該肩支持ストラップの各々に接続された遠位端とを有する、一対の上部ストラップ（６００）と、
該バックパック本体の上面（２０２）に接続された近位端と、該上部ストラップ（６００）の１つに接続された遠位端とを有する少なくとも１つの上部支持ストラップと、
該ボディ面（２１０）に隣接して配置された腰支持部材と、
を備える、エルゴノミックバックパック（２００）。
【請求項２０】
前記内部コンパートメント内にアイテムが配置される場合、該アイテムを肉眼で見ることができる、請求項１９に記載のバックパック。
【発明の詳細な説明】
【０００１】
（技術分野）
本発明は、日常において用いられるバックパックに関する。詳細には、本発明は、エルゴノミック（ｅｒｇｏｎｏｍｉｃ）に設計されたバックパックである。このバックパックにおいて、着用者にかかるストレスが最小化され、これにより、着用者がより重量のある荷重（ｌｏａｄ）をより長時間にわたって持ち運び、かつ、起こり得る疲労または不快感を最小限することが可能となる。
【０００２】
（背景）
近年、日常使用用途のバックパックの人気が大きく高まっている。このようなバックパックは、ハイキング、サイクリングおよび登山用途に幅広く用いられているだけではなく、最近は、本および必需品を家庭と学校の行き帰り時に持ち運ぶ学生の間で最もよく用いられている。
【０００３】
学校と若者に与えられる教育の質とに国が継続的に力を入れているため、多くの教育機関が授業時間を延長している。そのため、学生が、昔に比べてより多くの本および必需品を持ち運ぶことにより、長い授業時間に備えることが予測されている。その上、多くの学区は、学年度の期間を延長している；そのため、学生は、より重い荷重を持ち運ぶだけではなく、重い荷重をより頻繁に持ち運んでいる。
【０００４】
これらの骨組みの無いパックを用いてより重い荷重をより頻繁に持ち運ぶと、疲労、不快感、姿勢の悪化、ひいては筋骨格系の疾患および怪我の可能性が高くなる。このような可能性を最小化にするような設計のバックパックの設計が奨励されている。しかし、多くのこのようなバックパックにおいて用いられているサスペンションシステムは、エルゴノミクス的に正しい装着状態を全く提供できていない。
【０００５】
必要とされているのは、パックを十分に荷重した場合にでも着用者の快適性および健康を最大化するように設計されたサスペンションシステムを備えた日常的パックである。
【０００６】
（発明の要旨）
本発明は、荷物（ｃａｒｇｏ）を持ち運びする個人によって装着されるバックパックまたはブックパックに、エルゴノミクスにおける改良を加えることを含む。本発明の一局面によれば、上記エルゴノミックバックパックは、上面と、下面と、２つの側面と、ボディ面と、外面とを有するバックパック本体を含む。上記バックパックはまた、少なくとも２つの肩支持部材を有し、上記肩支持部材はそれぞれ、近位端および遠位端を備える。上記近位端は、上記上面と上記ボディ面との間の第１の接合部において、上記バックパック本体に接続される。上記バックパックはまた、上記側面の１つに隣接して配置された少なくとも１つの面支持部材を有する。この面支持部材は、上記外面と上記側面の１つとの間の第２の接合部において上記バックパック本体に接続された近位端と、上記肩支持部材の１つに接続された遠位端とを有する。
【０００７】
上記様々な面のうち１つ以上は、（メッシュ材料を介してまたは１つ以上のストラップを含むことにより）少なくとも部分的に透明であり得る。
【０００８】
上記バックパックはまた、上記バックパック本体の外面と下面との間の第３の接合部において上記バックパック本体に接続された近位端と、２つの遠位端とを備える下部部材を有し得る。上記２つの遠位端ははそれぞれ、各肩支持部材の遠位端に接続されている。それぞれが単一の遠位端を備える２つのこのような下部部材は、また、単一の下部部材の代わりに、含まれ得る。また、近位端において上記バックパック本体の下面に接続され、遠位端において上記下部部材の１つと接続される少なくとも１つの下部支持部材も、含まれ得る。
【０００９】
同様に、上記バックパックは、上記バックパック本体の上面と外面との間の第４の接合部において上記バックパック本体に接続された近位端と、２つの遠位端とを備える上部部材も有し得、上記２つの遠位端はそれぞれ、上記肩支持部材の各々の１つに接続される。それぞれが単一の遠位端を備える２つのこのような上部部材は、また、単一の上部部材の代わりに、含まれ得る。近位端において上記バックパック本体の上面に接続され、遠位端において上記上部部材の１つと接続される上部支持部材も、また、含まれ得る。
【００１０】
腰支持部材が、上記バックパック本体のボディ面に隣接して配置され得る。加えて、上記第１の接合部において、上記バックパック本体に沿ってヨークが配置され、各肩ストラップに接続され得る。
【００１１】
本発明の別の局面によれば、上面と、下面と、２つの側面と、ボディ面と、外面とを有するバックパック本体を含むエルゴノミックブックパックが提供される。少なくとも２つの肩支持部材も提供される。上記肩支持部材はそれぞれ近位端および遠位端を備える。上記近位端は、上記上面と上記ボディ面との間の第１の接合部において、上記バックパック本体に接続される。上記バックパックはまた、上記側面の１つに隣接して配置された少なくとも１つの面支持部材を有する。この面支持部材は、上記外面と上記側面の１つとの間の第２の接合部において上記バックパック本体に接続された近位端と、上記肩支持部材の１つに接続された遠位端とを有する。上記バックパックはまた、上記バックパック本体の外面と下面との間の第３の接合部において上記バックパック本体に接続された近位端と、上記肩支持部材の１つの遠位端に接続された少なくとも１つの遠位端とを備える少なくとも１つの下部部材を含む。
【００１２】
上記様々な面の１つ以上は、少なくとも部分的に透明であり得る。加えて、上記下面は、上記上面、上記２つの側面、上記ボディ面および上記外面よりも高強度であり得る、。
【００１３】
本発明のさらに別の局面によれば、内部コンパートメントと、上面と、下面と、２つの側面、ボディ面と、外面とを有するバックパック本体を含むエルゴノミックバックパックが提供される。上記バックパックはまた、一対の肩ストラップを有する。上記肩ストラップはそれぞれ、遠位端および近位端を備える。上記近位端は、上記上面と上記ボディ面との間の第１の接合部において、上記バックパック本体に接続される。上記バックパックはまた、一対の側部ストラップも含む。上記側部ストラップはそれぞれ、上記側面の１つに隣接して配置される。各側部ストラップは、上記側面の１つと上記外面との間の第２の接合部において上記バックパック本体に接続された近位端と、上記肩支持部材の１つに接続された遠位端とを有する。上記バックパックは、一対の下部ストラップを含む。上記下部ストラップはそれぞれ、上記外面と上記下面との間の第３の接合部において上記バックパック本体に接続された近位端と、上記肩ストラップの遠位端の各々と接続された遠位端とを有する。各下部ストラップは、少なくとも部分的に上記下面に隣接して配置される。上記バックパック本体の下面に接続された近位端と、上記下部ストラップの１つに接続された遠位端とを有する少なくとも１つの下部支持ストラップも含まれる。上記上面と上記外面との間の第４の接合部において上記バックパック本体に接続された近位端と、上記肩支持ストラップの各々に接続された遠位端とをそれぞれが備える一対の上部ストラップが、本発明のこの局面の一部である。最後に、上記バックパックは、上記バックパック本体上面に接続された近位端と、上記上部ストラップの１つに接続された遠位端とを有する少なくとも１つの上部支持ストラップと、上記ボディ面に隣接して配置された腰支持部材とを含む。上記内部コンパートメント内にアイテムが配置される場合、上記アイテムを肉眼で見ることができる。
【００１４】
（発明の説明）
ここで図面を参照する。図面中、類似の参照符号は、類似の構成要素を示す。従来のブックパックがモデルによって装着されている様子の側面図を図１中に示す。例示目的のため、パックボディ１００の状態は、荷物（例えば、本、学校の必需品およびそのようなもの）で適度に積載されているものと仮定する。
【００１５】
バックパック本体１００は、一対の肩ストラップ１１０に接続される。これらの肩ストラップ１１０はそれぞれ、ボディ１００に取付けられる。図１において、１つのこのようなストラップ１１０がポイント１０２においてボディ１００に取付けられている様子が図示されている。
【００１６】
ブックパックの重心（ＣＧ）は、図１中の参照番号１０４によって印が付けられている位置に例示的に配置されており、着用者の背中のずっと下方に位置がずれて、バックパック本体も下方になっている傾向がある。このような位置は、バックパック本体１００が垂れ下がっている様子からも認められる。
【００１７】
この支持構成においてブックパック１００の重量によって生成されるモーメントの方向は、位置１０６において着用者のボディに向う力が生成され、ポイント１０２において着用者のボディから離れる力が生成されるような方向である。
【００１８】
この構成は、着用者のボディの、肩ストラップ１１０が着用者の肩に接触する比較的小さな部分の上に、図１に示す大きい、限られた負荷分散をもたらす。また、この構成は、ポイント１０６をヒンジまたはピボットポイントの一種として機能させ、ポイント１０６の近くに示されるように、バックパック本体１００が着用者の背中にぶつかる原因となる。ブックパック重量によって引き起こされる力およびモーメントのほとんど全ては、ストラップ１１０の上部を通り、ポイント１０２において反動を引き起こす。図１に例示されるように、これらの力は、パック１００を、上部で外に、着用者のボディから離れるように引っ張り、肩が後ろに引っ張られる原因となる。重量は、肩ストラップの不釣合に小さな部分にまたがって、着用者の肩の上部に直接分散される。重量はさらに、肩ストラップが腕の下でずり上がり、着用者の腕の下を締め付ける原因となる。
【００１９】
この影響は、いっぱいのブックパックを持って、前かがみになって、かつ親指で肩ストラップを彼らの胸から離して保持しながら校内を横切って歩いている生徒を見ることによって目撃される。このような構成は、不必要な疲労、不快、および起こり得る長期の筋骨格障害の原因となる。
【００２０】
対照的に、本発明のブックパックは、図１に示されるような典型的なブックパックによって引き起こされる問題を改善する。本発明の一つの実施形態は、図２〜７および図９に示される。
【００２１】
本発明の簡略化されたバックパック本体２００は、本発明の特徴の一部を除いて図２に示されるように、複数のパネルおよび面によって形成され、基本的な構成要素および番号付けに関する規則が最初に説明され得る。
【００２２】
ブックパック本体２００は、上面または領域２０２、下面または領域２０４、２つの側面または領域２０６、外面または領域２０８、ならびにボディ面または領域２１０を有する。これらの６つのパネル領域は、結合されて、本体２００内の内部コンパートメントを規定し、その中に荷物（例えば、本、食物、衣服等）が収容され得る。当然、この領域は、複数の追加コンパートメントまたは領域に細分され得るか、またはそれらによって補足され得、様々なアイテムを別個に保持する（整頓を容易にし、鍵または水のボトルなどの頻繁に使用されるアイテムへの素早いアクセスを容易にし、かつ着用者に対する適切な重量分散および快適さを可能にする）。
【００２３】
本明細書中に記載される特定の６パネル構成は、２つの主要な目的を果たす。第１に、本発明の機能が記載され得、かつ様々な構成要素間の関係が示され得る規則を提供する。第２に、６パネル構成は、荷物が入れられる場合のブックパック本体２００の一般的な形を描写する簡略的かつグラフィックな方法であり、任意の一般的な立方形または矩形の三次元本体がオブザーバに示す主要な外観（上、下、および４面）に対応する。
【００２４】
６つの特定の面またはパネルが記載されるが、ブックパック本体２００は、より少ないパネルまたは面を含んでもよく、従ってより少ないシームまたは接合部を有してもよいし、この場合も本発明の範囲内に含まれ得る。例えば、極端な例として、本体、上面、下面、外面、および側面が１枚の連続する布（ｆａｂｒｉｃ）からなり、実際のシームまたは接合部がない構成も、本発明の範囲内に含まれる。このような場合もまた、議論される本体２００の相対的な位置の理解を助けるために、本体２００が多数のシームおよび接合部を有するように記載され得る。また、反対に、１０以上ものパネルまたは面、および対応するシームまたは接合部を有する構成も考えられる。
【００２５】
種々のパネルまたは上述の面領域を分割することで、一連の接合部またはシームができる。例えば、第１の接合部２１２は、上パネル２０２とボディ面２１０との間であると規定される。第２のシームすなわち接合部２１４も同様に、外面２０８と２つの側面２０８との間の線または領域に沿って配置される。第３の接合部すなわちシーム２１６は、底パネル２０４と外面２０８との間の移行領域を規定し、第４の接合部すなわちシーム２１８は概して、外面２０８と上パネルまたは上面２０２との間に配置される。
【００２６】
本明細書において、これらの種々のシームまたは接合部は、本発明の種々の実施形態の構成、およびその構成要素の種々の装着部位の場所を読み手が理解することを支援するためのみに記載される。
【００２７】
さらに、種々の接合部の記載は、本体２００上の特定の場所に対向する領域を規定することを意図する。したがって、例えば、上面２０２とボディ面２１０との間の第１の接合部２１２が記載されるとき、これらの２つの面２０２と２１０との間の一般的な移行領域を規定することのみを意図する。これは、第１の接合部２１２から上面２０２またはボディ面２１０内に、または図面に示す、これらの接合部を規定するような線に沿う任意の場所に、何インチも移動し得、なおかつ依然用語「シーム」または「接合部」が含む意味が発明者が意図する範囲内であることを意図する。したがって、本発明の種々の支持部材およびストラップが、バックパックに接続されるときまたは種々の接合部に沿って配置されるときに関し記載される場合、接続または配置の点がある領域内または特定の接合部またはシームの近傍にあることが理解される。ここで、接続点はこの接合部またはシームのちょうど上である必要はない。
【００２８】
これに留意すると、接合部およびシームは、パネルまたは面にいかなる不連続性もない、あるセクションから別のセクションへと続くバックパック本体に一般的な移行領域を含み得る。例えば、上面２０２とボディ面２１０との間の第１の接合部２１２は概して、本体２００に中身の負荷がかかるときに、パネルまたは面が、ある方向から別の方向に移行する領域を規定し得る。すなわち、第１の接合部２１２はバックパック本体２００内の単なる曲げである。
【００２９】
あるいは、第１の接合部２１２を用い続ける例であれば、シーム２１２は、縫い目または２つの面の他のタイプの永久的な接着または融合など、永久的で有り得る。またはこれは仮の縫い目であるかもしれず、この仮の縫い目に沿ってまたは近傍で本体のコンパートメントが開閉され得る。後者の場合、第１の接合部すなわちシーム２１２は、ナイロン、金属ジッパ、ホックおよび環状タイプのファスナ、スナップ、ボタンなどの近傍のエリアを表し得る。上述の接合部２１２用のこれらのオプションは、もちろん本明細書に記載されるすべての接合部に適用される。
【００３０】
以下に記載するようなパネルまたは面およびそれらの対応するシームを含め、図２に示す本体２００の種々の構成要素の記載および指定を簡略化し、これにより、本発明の利点が特に記載され得る。例えば、本体２００は、本、衣類、食品などの荷物が中に置かれ得るコンパートメントを規定するが、外面および側面コンパートメント、ループ、デイジーチェーンなどのさらなるコンパートメントおよび機能が、バックパック本体２００に追加され得、これは、本発明の範囲内である。
【００３１】
本発明のストラップおよび他のコンパートメントと同様、バックパック本体２００を構成するパネルは、多くの自然材料または合成材料を種々に含み得る。皮、綿（特に、麻布またはシングルフィルドダック（ｓｉｎｇｌｅ−ｆｉｌｌｅｄ  ｄｕｃｋ））などの自然布地などが、所定の用途に有用であるかもしれない。好適なものは、ポリプロピレン、ポリビニール、ポリアミド（ナイロンなど）、ポリエチレン、ポリエステルなど熱可塑性材料から製造される合成布地である。厚みが０．００５インチであるポリプロピレンの布地が有用であることが確認されている。特に好適なものはナイロンであり、これは、シリコンエラストマなどの材料によって、通気性、消耗耐性、および防水を施すために、きめを変更し得る。特に有用であるのは、ＣＯＲＤＵＲＡ（Ｅ．Ｉ．ｄｕ  Ｐｏｎｔ  ｄｅ  Ｎｅｍｏｕｒｓ  ＆  Ｃｏ．、ウィルミントン、ＤＥ．）として公知のナイロンのタイプである。複数または複合層の構成は、当該分野において周知であるが、より頑丈で、耐久性のある編み込みは外面層を構成し、一方、より軽く、薄く、柔軟な内面の編み込みは内面層を構成する。当該産業において公知のこれらの材料（例えば、ＧＯＲＥ−ＴＥＸ（Ｗ．Ｌ．Ｇｏｒｅ  ＆  Ａｓｓｏｃｉａｔｅｓ、Ｎｅｗａｒｋ、ＤＥ）、ＴＲＩ−ＳＨＩＥＬＤ（Ｔｒｉ−Ｓｅａｌ  Ｉｎｔｅｒｎａｔｉｏｎａｌ、Ｂｌａｕｖｅｌｔ、ＮＹ）、ＳＰＡＮＤＵＲＡ（Ｈ．Ｗａｒｓａｗ  ＆  Ｓｏｎｓ、ニューヨーク、ＮＹ）など）のいくつかが、適切なものとして用いられ得る。
【００３２】
線維性の形態の上述の材料を用いるとき、７５デニールから２０００デニールに及ぶ繊度が可能であることが確認されている。好適であるのは、５００デニールから１０５０デニールに及ぶ繊維であり、特に好適であるのは、１０００デニールの繊維である。繊維の種々の厚みが適切なものとして用いられ得る。さらに、本明細書に種々に記載される異なる支持部材またはストラップに関して、０．２５インチから３インチ以上にわたる幅が考えられるが、好適なものは０．５インチから１．０インチの幅である。
【００３３】
１対の肩支持部材すなわちストラップ３００を、図２〜９に示す。各ストラップ３００は、近位端３１０および遠位端３２０を有する。支持部材の近位端３１０は、随意のヨーク３４０を介して、第１の接合部２１２において、パック２００に接続される。あるいは、近位端３１０は、ヨーク３４０なしで、第１の接合部２１２において、パック２００に直接接続され得る。いずれの構成においても、肩支持部材３００の各近位端３１０は、当該分野において周知であるようなスティッチングによって、第１のシーム２１２に装着される。肩支持部材３００は、全体の設計の快適性および機能を保証する必要に応じて、パットおよび調整ストラップ（図６により明らかに図示する）、各肩ストラップ３００（図示せず）を接続する胸骨（ｓｔｅｒｎｕｍ）ストラップなどで補足され得る。
【００３４】
ここで、側方または側部パネル２０６に移り、各側部パネル２０６に隣接して設置されるような、面支持部材すなわちストラップ４００を図３〜９に示す。
【００３５】
各面支持部材４００は、近位端４１０および遠位端４２０を有する。図３にベストに示されるように、面部材の近位端４１０は、バックパック本体２００の横に適切な第２の接合部またはシーム２１４で、本体２００に固定される。ここで側部ストラップ４００は、本体２００に配置される。図示するように、側部ストラップ４００は、本体の底近傍で、本体２００に装着することが好適であるが、面支持部材４００は、第２のシームまたは接合部２１４の長さにわたって、本体２００の底の上、数インチ以上で、本体２００に装着されてもよい。
【００３６】
面支持部材４００は、側方または側部パネル２０６に沿って配置されることが好適である。以下に記載するように、このような構成によって、側部ストラップ４００が、バックパックの使用者にかかる負荷を、使用者の背中にわたり、および肩ストラップ３００にそってより均一に再分布することが可能となる。
【００３７】
肩支持部材３００の遠位端３２０に、永久に（例えば、図３に示すようにスティッチングによって）または脱着可能に（例えば、フックおよびループタイプのファスナまたは調整バックルなど）接続されるような、面支持部材の遠位端４２０を図３に示す。肩ストラップ３００および側部ストラップ４００の遠位端が、途切れのないストラップの概観を形成するように接続され得る。
【００３８】
面支持部材４００は、図３に示すように、随意にＤリング３６０に通され得る。ストラップ４００をスライドさせながら係合させることで、Ｄリング３６０は、側部パネル２０６の近傍に側部ストラップ４００を維持させることを援助し、肩ストラップ３００に接続させるためにストラップ４００の位置合わせを行い、移動する負荷に応答して、側部ストラップ４００が動くことを可能とすることによって、圧力緩和を提供する。
【００３９】
側部ストラップ４００の近位端と遠位端との中間に配置される、随意の調節可能なナイロンまたは金属バックル４２２などを図３に示す。技術的には、このようなバックルまたはデバイスは、側部ストラップ４００が実際２つのストラップセクションを含むことを必要とし得る。側部ストラップ４００（または本明細書における任意のストラップ）の近位端および遠位端を記載する場合、任意の複数のストラップの部分が任意のバックルなどと共に考慮され、１つの近位端および１つの遠位端を有する単一のコンポーネントを形成することが理解される。
【００４０】
側部ストラップ４００の効果的な長さを長くする、または短くすることを可能にすることによって、バックル４２２は、肩ストラップ３００の遠位端３２０を介して、肩ストラップ３００を引く、または出すことによって、使用者にかかる負荷の分布を直接調節するだけではなく、側部ストラップ４００が、側方または側部パネル２０６の縮小または拡張を介して、バックパック本体２００の形状を調節する、圧縮ストラップとして作用することも可能とする。
【００４１】
側部ストラップ４００の近位端４１０が、第２の接合部２１４の近隣において、またはこのようなシーム２１４から任意の方向に２〜３インチ以上離れて、かばん２００の本体に接続されている限り、当該分野において周知であるような上述の種々の調整およびファスナーの構成、設計が本発明の範囲内である。
【００４２】
バックパックに追加の支持およびエルゴノミックなユーティリティを提供する本発明の別の機能は、堅いパック本体の底面２０４である。以下に見られるように、このような特徴は、バックパック本体２００を四角に保つよう機能し、これは使用者のボディおよび肩に向かう荷物を上げ、そして圧縮する。
【００４３】
パック本体２００が堅く製造される種々の方法が存在するが、２つの方法が特に注目に値する。
【００４４】
第１の方法は、バックパック本体２００の残りの部分に使用される材料より堅い材料を底パネル２０４に利用することに関与する。底面２０４に関して堅いという用語を用いることによって、素人が考える場合に、底面２０４の全体的な堅さと同様、３つの主な指示（引っ張り、曲げ、ずり）の単一または組み合わせにおける弾性係数を意図する。
【００４５】
例えば、下部パネル２０４は、ナイロン、ポリウレタン、ポリアロマー等のより厚い層を含み得る。それにより、本体２００の他の５つのパネルに対して下面の強度を増す。これはまた、異なる力学的特性を有する材料の種々の層が下部パネル２０４を構成するように、下部パネル２０４を合成物として作製すること、または下部パネル２０４等により形成されるポケット内に（固いナイロンシート等の）硬質部材を挿入することによっても達成することができる。
【００４６】
例えば、数ミリメートルから数センチメートル以上の厚さ範囲のポリウレタンまたは耐摩性ナイロンの比較的に厚い層を、下部パネル２０４の外側に結合させるか、または他の方法で取り付けることができる。これは、下部パネル２０４の剛性を増す役割を果たすだけでなく、バックパックが、ごく通常において、下部パネル２０４を地面等につけて置かれたときの磨耗および摩滅から下部パネル２０４を保護する役割も果たす。このような層は、滑り防止を促進し、かつバックパックが自立することを可能にするために、溝を付けられ得るか、もしくはそれ以外の方法での型どりまたは成形等で作製され得る。
【００４７】
下部パネル２４０の強度を増すための別の方法（上記の特徴のうちの単独またはいずれかと共に用いられ得る）は、１以上の下部ストラップまたは部材５００を追加することである。図３〜４、図４Ａ、および図６〜９は、２つのそのような下部ストラップ５００が用いられる構成を示す。
【００４８】
ここでは、各下部ストラップ５００の近位端または領域５１０が、外面２０８と下面２０４の交差部で規定される第３の接合部またはシーム上またはその近辺で本体２００に接続される。各下部部材５００は、好適には、下部パネル２０４に隣接して配置され、その遠位端５２０が、図３に示すように、その交差部の近辺全体において、右または左肩ストラップ遠位端３２０、側部ストラップ遠位端４２０、もしくはその両方と接続する。さらに、これらの下部部材５００の近位端および遠位端の両方に対する接続点が、特定の設計に適した目的を果たすために、大きく変更され得る。本発明は、図面に示すそのままの接続位置に限定されない。
【００４９】
単一の下部ストラップが用いられる場合、図３Ａに示す１つの変形例が適切である。ここで、上述したような単一の遠位端を有する代わりに、ストラップ５３０は、それぞれが右および左肩支持部材３００の遠位端に接続する２つの遠位端５４０および５５０に分割されることにより「Ｙ」を形成する。このようなストラップの近位端５６０は、理想的に、第４のシーム２１８またはその近辺で、各側面２０６からほぼ等距離で本体２００に取り付けられる。これにより、肩ストラップ３００を通って、各遠位端５４０および５５０にかかる荷重を均等に分散させ、下面２０４の形状が、確実に、できる限りにおいてシンメトリックであることを助長する。このような設計は、見た目にも美しいというさらなる利点を有する。
【００５０】
２つより多くの下部ストラップが用いられる場合、２の倍数であることが好ましいが、これは必須ではない（奇数の下部ストラップも同様に用いることができる）。４などの偶数は、下部パネル２０４の周りのシンメトリック配置、および、それに相応して、シンメトリックな加重の分散を可能にする。
【００５１】
１以上のオプションの下部支持部材５７０は、下部パネル２０４に隣接する下部ストラップ５００の位置合わせを維持するために用いられ得る。このような下部支持部材は、縫製等により、下部パネル２０４に脱着可能または（好ましくは）固定的に取り付けられ得る。
【００５２】
これらの支持部材の変形例を図４および図４Ａに示す。ここで、それぞれがある長さのナイロンのストラッピングまたは他の材料を含む４つの下部支持部材５７０が、スティッチング等により、その端部で、下部パネル２０４に取り付けられるため、一般に、第３のシーム２１６と位置合わせされる。この構成では、各下部支持部材５７０と下部パネル２０４との間に隙間が形成される。各下部ストラップ５００は、図４Ａに示すように、この隙間を通っているため、支持部材５７０の領域内に維持される。図４Ａに示す各支持部材５７０の端部は、共に移動することができるため、下部パネル２０４に取り付けた場合には重なり合うことに留意されたい。これにより、下部ストラップ５００を通すことができる一種のループが形成される。
【００５３】
代替的な設計（図示せず）では、下部支持部材５７０の一端が、下部パネル２０４に縫製され得、金属、ナイロン、ポリエステル、スレッド等の材料のリングまたはループが、部材５７０の他端に形成または取付けられ得る。そして、下部ストラップ５００が、このリングまたはループを通り得る。
【００５４】
ある長さのナイロン、もしくは他の網状（ｗｅｂｂｉｎｇ）材料またはストラッピング材料に加えて、下部支持部材５７０は、単純に、複数または単一のＤリング、クリップ、調節可能なバックルまたは留め金等を有するストラップを備えた２部分からなる構成等を備え得る。このような代替的な構成は、バックパックの設計およびその特定の性能要件により与えられるような可調性、伸縮性、およびひずみ除去（ｓｔｒａｉｎ  ｒｅｌｉｅｆ）を促進するように適合され得る。
【００５５】
図４および図４Ａに示すように、少なくとも２つの下部支持部材５７０が、各下部ストラップ５００について用いられるのが好ましい。しかし、数量の増減は、指定される負荷、下部ストラップの個数、美的考慮などに基づいて用いられ得る。
【００５６】
本発明のさらなるオプションによる特徴は、１つ以上の上部ストラップまたは上部部材６００である。図３および図７〜図９は、そのような上部ストラップを２つ用いた構成を示す。
【００５７】
ここで、各上部ストラップ６００の近位端または領域６１０は、外面２０８と上面２０４との交差部に規定された第４の接合部またはシーム２１８の上または近傍のバックパック本体に接続される。各上部部材６００は、上部パネルに沿って延び、肩ストラップ３００がバックパック本体２００に取り付けられた場所から離れた点で、その遠位端６２０において、右または左肩支持部材３００に接続される。例えば、図３において、上部ストラップ６００は、本体２００から数インチ離して肩ストラップ３００に取り付けられる。上部ストラップ６００は、また、オプションのヨーク３４０に取り付けられ得る。しかし、概して、着用者がバックパックを着用した場合の着用者の肩の最も高い部分に近い点で、上部ストラップ６００の遠位端６２０が肩支持部材３００に取り付けられるのが好ましい。以下に詳細に説明するように、この取り付け点は、最も効率的で且つ直接的な負荷の移動を提供し、ブックパック本体２００の上部を、理想的な四角形に維持するのを助ける。
【００５８】
また、これらの上部部材６００の近位端および遠位端の両方についてのそのような接続点は、大きく変動して、特定の設計に適応させるという目的に資し得、本発明は、図面に示した正確な接続位置に限定されない。
【００５９】
下部ストラップについて説明したように、本発明において、さまざまな構成および多数の上部ストラップを使用し得る。例えば、「Ｙ」構成を有する上部ストラップを使用し得る。この構成において、２つの遠位端の各々が、肩ストラップ３００の各々に接続される。１より多い上部ストラップまたは２つより多い上部ストラップが使用される場合、バランスのとれた負荷移動およびシンメトリーが容易に達成されるように、ストラップの数が偶数であるのが好ましい。
【００６０】
ブックパック本体２００の上部の四角形状を維持するのを助け、本体２００を着用者の肩に向かって比較的高く維持するために、１つ以上のオプションの副ストラップまたは上部支持部材６４０が、上部ストラップ６００と共に用いられ得る。
【００６１】
そのような支持部材は、上記のように、下部支持部材８４０に対して、さまざまな構成および形状を有し得る。図３、図７および図８に示した望ましい構成に留意されたい。この実施形態において、上部支持部材６４０の各々は、上面２０２に接続された近位端６５０と、取り付けられたＤリングまたは同様のループを介して上部ストラップ６００にスライド可能または固定的に接続された遠位端６６０とを有する。
【００６２】
あるいは、上部ストラップ６００用のループは、その遠位端６６０において、上部支持部材の材料から、例えば、遠位端をそれ自体に縫いつけることによって形成され得る。当然ながら、この変形例の場合、上部支持部材６４０は、上面２０２に固定され、それにより、ループは、上部ストラップ６００を受け取るように、つまり図３の構成に対してほぼ垂直になるように向けられる。
【００６３】
本発明の範囲内にある、これらおよび他の上部支持部材６４０の構成は、着用者が支える負荷をサポートするのを助け、上部部分において本体２００を四角形に維持し、ブックパックを着用者の肩に対して高くなるように維持するように上部ストラップを助ける。上部支持部材６４０に作用する下方の力が原因で、これらの部材は、上部ストラップ６００と係合する遠位端６４８において本体２００の負荷を支える際にストレスを受ける。したがって、上部支持部材６４０の遠位端６６０と上部ストラップ６００との間の接続点が、耐久性および負荷支持機能が得られるように設計されていることが重要である。このことは、（例えば、さらなる材料を追加することによって）上部支持部材の遠位端６４０等を強化することにより達成され得る。さらに、摩擦の小さい耐摩耗性のコーティングを、遠位端６４０および上部ストラップ６００のいずれかまたは両方に施し得る。これらは直接接して、結合を防ぎ、摩耗によるダメージから材料を保護する。
【００６４】
図６Ａは、ブックパック本体２００がオプションの腰支持部材７００を有する実施形態を示す。この腰支持部材７００は、発泡ポリウレタンなどのパッドまたはクッションの形態であり得る（明瞭に示すため、本発明の他の特徴は図６Ａから削除した）。当業者に周知の任意のタイプのパッドまたは他のサポートが適している。
【００６５】
例えば、腰支持部材７００は、（スナップ（ｓｎａｐ）、ジッパー、フック、およびループファスナーなどによって）ボディパネル２１０に固定的または脱着可能に取り付けられ得、着用時に、着用者の腰領域に直接隣接して配置される。
【００６６】
別の構成において、コンパートメントまたはポーチが、ボディ面２１０を形成するパネルに取り付けられるか、または、そのパネルの一部として一体的に形成される。腰支持部材は、バックパックを着用する前に、パッド材料として働くパッドまたは荷物（タオルなど）がこのコンパートメントに挿入される場合に形成される。この態様において、腰支持部材は、着用者によって選択的に形成および変形され得るオプションの特徴である。そのようなパッドが必要でない場合、スリーブの中身が取り除かれ得、ブックパックの本体２００は、腰パッドが存在しないように機能する。
【００６７】
図面には示さないが、本発明は、また、腰パッド７００、バックパック本体２００、もしくは、必要に応じて単独または組み合わせて設けられる偶数本の側部ストラップ４００または下部ストラップ５００に取り付けられたウエストベルトまたはヒップベルトを含み得る。そのようなウエストベルトは、追加のサポートを提供し、着用者の骨盤領域の中身によって生じる負荷の移動を助ける。側部パネル２０４とボディパネル２０６との交差部の近傍で、ウエストベルトがその遠位端および近位端においてブックパックの本体２００の下端部に接続される構成が特に有用である。ヒップベルトが２つのピースを含み、一方の端部が上述のようにそれぞれブックパック本体２００に接続され、各ストラップの他方の端部がそれぞれ、当業者に周知の、従来のプラスチック製または金属製の留め金（ｃｌａｓｐ）またはバックル、フック、およびループ状ファスナー等によって互いに接続可能である構成もまた有用である。このヒップベルトは、適切なフィットを得るために調節可能であり得る。
【００６８】
コンパートメントを開けて本体内部の中身を調べる必要なく、ブックパック本体２００の中身を見ることができる望ましい例があり得る。例えば、ブックパックの所有者が幼い生徒であり、子供が学校に持って行くものを親が見ることを望むことがあり得る。中身を容易に調べることのできるそのようなブックパックにより、学校、空港、または競技場の係員による保安についての懸念が解消され得る。学校などのある場合において、そのような機能は、しばしば公表される校内暴力の悲劇の例に対して必須の高い保安手段となり得る。
【００６９】
図８は、この「シースルー」特徴を有する本発明の実施形態を示す。ここで、前の図面に示したように、上面、下面、側面、外面、およびボディ面のパネルは、ストラッピング８００と置換されて、バックパックの本体２００を形成する。このようなストラッピング８００は、ブックパックに要求される運搬能力および耐久性を提供するのに十分な強度および幅を有し、しかも、ストラップの間には、コンパートメントを開けることなくバックパックの中身を容易に見る（アクセスする）ことができる十分な空間が設けられている。
【００７０】
バックパックの輪郭の縁を図８に示して、バックパックの大凡の境界を示すが、これは本体２００自体を構成する物理的部分ではないことに留意されたい。また、肩ストラップ３００、上部ストラップ６００、下部ストラップ５００、側部ストラップ４００等の、自動サスペンションシステムのさまざまな構成要素が依然存在し、したがって、シースルーの本体２００を有しながらも、エルゴノミックバックパックの同じ利点が着用者に提供されることにも留意されたい。
【００７１】
既に説明したように、バックパック本体２００を含むストラップ８００は、ボディパネルまたは他のストラップに用いたのと同じ材料から形成され得る。あるいは、ストラップ８００は、高性能繊維などによって強化されて、負荷運搬能力を向上し得る。図８に示したストラップ８００は、さまざまな厚さ、幅、材料形態、取り付け方法、パターン（図８に示す直線交差パターンなど）、ストラップ間隔、配列などを有し得る。ストラップがブックパックの中身を内部コンパートメント内に確実に保持および保護し、且つ、これらの中身を外から見ることができる限り、任意のストラッピング構成が適切である。この構成の１つの利点は、例えば航空機内に持ち込む手荷物などの比較的小さなバッグまたは荷物を、荷物ハンドルまたはストラップがストラップ８００間の隙間（単数または複数）を介してアクセス可能となり得るようにストラップ８００によって形成されたコンパートメント内に配置およびアクセスできる点にある。この利点により、従来のように荷物をバックパックコンパートメント内に保持しつつそれ自身のハンドルによって運搬できる一方、着用者が荷物を背負って運搬するための簡便な方法が提供される。
【００７２】
さらに、ストラップ８００は、網またはメッシュ材料と置換され得る。この場合、光が透過され、過度の負担または検査を行うことなく、本体２００の中身が人間の目に見えるようになる。
【００７３】
図２に示すような各種のパネルを、図８に示すようなストラッピング８００と置き換える代わりに、パネルは、連続的だが、透明または半透明の熱可塑性の膜または層を部分的にまたは完全に含んでもよい。このような膜または層は、例えば、アクリル、セルロース、フッ素樹脂、フェノキシ、イオノマー、ナイロン６およびナイロン６，６のような急速冷却ポリアミド、ポリカーボネート、ポリエチレンのようなポリオレフィン、ポリスチレン、または、本体２００の中の物または内容物が外部から見えることを可能にする他の材料の層である。
【００７４】
ブックパック本体２００の内容物が人間の眼で見えるようにするために、ボディ面２１０または下部２０４を透明にする必要がないことに留意されたい。例えば、着用者の背中と合わせられるブックパックの任意の部分、例えば、ボディ面２１０は、必然的に、前面から見る場合には着用者のボディによってさえぎられる。従って、明らかに、ボディ面２１０が透けて見えるように調節される必要はない。同様に、本体２００の下面２０４が透明である必要は、一般的には、まずない。
【００７５】
他方、下面２０４については、図９に示すように、このような透明な実施形態が、従来の下面２０４またはボディ面２１０を含むことが絶対に必要であるわけではない。この論理は、透明またはシースルーパネルと従来の不透明なパネルとの任意の組合せが、本発明の範囲内に含まれるように拡張され得る。
【００７６】
また、特定の面またはパネルが、不透明な部分と透明な部分との両方を含み得ることに留意されたい。例えば、透明なプラスチックの小さい窓が、従来の不透明なナイロンの側方パネル２０６に組み込まれていれば、本発明の目的が十分果たされる。
【００７７】
図９に、着用者が着用した状態の本発明の構成の１つを示す。使用する場合、着用者は、ブックパック２００の内部コンパートメントに様々な内容物を入れてもよいし、まずバックパックを背負ってから荷物を入れてもよい。
【００７８】
いずれの場合も、ブックパックを背負う場合、着用者は、まず、本体２００と適切な左または右の肩支持部材３００との間の間隔に、左腕および右腕を通し、左または右の肩支持部材３００を調節して、本体２００を、不快感を感じない程度に、可能な限り着用者の背中に近付ける。調節可能胸骨ストラップがある場合、調節可能胸骨ストラップも、接続され、調節され得る。
【００７９】
次に、側部ストラップ、下部ストラップ、および上部ストラップがある場合、それぞれが、当該技術において周知の各種の調節装置のうち任意のものを用いて、最適な使い心地になり、最適に機能を果たすように、調節される。各種の調節手段が用いられる場合、本発明の利点が完全に実現される。
【００８０】
肩から胸部にかけて分散された荷重９００として理想化される、肩ストラップ３００によって着用者が支える荷重が、図１の従来のバックパックと比較して、ストラップ３００の長さにわたって、より均等に広がっていることに留意されたい。
【００８１】
このような均一な重量分散は、本発明の設計の各種機能および利点の直接の機能である。各種の上部ストラップ、側部ストラップ、下部ストラップのそれぞれは、ＣＧ９１０を上にかつ着用者のボディに向かって動かすだけでなく、それぞれが、着用者のボディのより長い部分および背中に沿って、肩ストラップ３００を通して、着用者の肩が支える荷重を大幅に分散し直す。
【００８２】
特に、図９に示すように、側部ストラップ４００は、遠位端４２０を通して、肩ストラップ３００の遠位端に接続されているが、ブックパック本体２００の荷重の方向を、側部ストラップ４００の方向に変えるように機能する。次に、ＣＧ９１０は、着用者の体と第２のシーム２１４との間に位置し、ここで、ストラップ４００の側部部材近位端４１０がブックパック本体２００に取り付けられ、ストラップ４００の方向に荷重の方向が変えられる。従って、従来のブックパックの「ヒンジポイント」は、効率的に取り除かれる。これは、ブックパックの重量が、図９に示すように、ストラップの周りで、背中にわたって、より均等に分散されることに役立つ。
【００８３】
他のパネルより強度の強い下面２０４による固い下部、あるいは、（または、さらに）下部ストラップまたは部材５００による固い下部が、本発明の機能に加えられる。上述したように、固い本体の下部は、荷重を着用者のボディおよび肩に向かって、持ち上げ、方向付けることによって、ブックパック本体２００の正方形状の形を維持するために役立つ。さらに、側部ストラップ４００は、バックパック本体２００のより下の部分の剛性全体を増大させるように機能し、この目的を果たすために、固い下部と組み合わされて非常に効率的に作用する。
【００８４】
下部ストラップ５００の遠位端５２０を、肩ストラップ３００の遠位端３２０に取り付けることによって、この接続点を通して着用者が支える荷重の一部が、下部ストラップ５００に分散される。これは、肩ストラップ３００が、着用者の腕の下で締まることを防いで、着用者の荷重を支える能力を高め、付け心地全体を高める。
【００８５】
上記の固い下部の利点が、単独で実現され得るか、または、下部支持部材５７０と共に動作する場合に、向上した態様で実現され得ることが理解される。
【００８６】
最終的に、単独か、または、上部支持部材６４０と共に作用する上部ストラップまたは部材６００が、第４の接合部にあるか、または、第４の接合部の近くにある取り付けのポイントを通じて作用して、上部に沿って、ブックパック本体２００を正方形に保つ。上部ストラップまたは部材６００は、また、上部ストラップ６００に沿った肩ストラップ３００に作用する力の方向を変え、着用者の肩にかかる荷重を低減する。
【００８７】
これらの特徴は、バックパックの重心を、より高く、着用者のより近くに移動させ、着用者の肩によって支えられる荷重が着用者のボディおよび背中のより長い部分に沿って分散し直される、自動サスペンションシステムを作成する。このようなシステムにより、着用者が、より長い期間、より重い物を、従来のブックパックで経験されるように不快感がずっと少なく、等分に支えることによって、システムの利点を理解できる。
【００８８】
本発明を説明し、本発明の特定の実施例を描いてきた。これらの特定の実施例の使用は、本発明をいずれの態様でも限定するものではない。さらに、この開示内容の趣旨の範囲内に本発明の変形例があり、特許請求の範囲において見出される本発明の均等物の範囲まで、特許請求の範囲がこれらの変形例を含むことが意図される。
【図面の簡単な説明】
【図１】  図１は、従来のブックパックが装着されている様子の側面図である。
【図２】  図２は、本発明のブックパックの簡単な斜視図であり、自動サスペンションシステムの機能を示さずに、ブックパック本体の詳細を示す。
【図３】  図３は、自動サスペンションシステムの機能を詳細に示した本発明のブックパックの斜視図である。
【図３Ａ】  図３Ａは、下部ストラップの別の構成である。
【図４】  図４は、本発明のブックパックの下面図である。
【図４Ａ】  図４Ａは、本発明のブックパックの下部の斜視図である。
【図５】  図５は、本発明のブックパックの上面図である。
【図６】  図６は、本発明のブックパックのボディ面の立面図である。
【図６Ａ】  図６Ａは、腰パッドを備える本発明のブックパックの簡単な斜視図である。
【図７】  図７は、本発明のブックパックの外面の立面図である。
【図８】  図８は、本発明のブックパック本体が透明になった様子の斜視図である。
【図９】  図９は、本発明のブックパックが装着されている様子の側面図である。
【図１】
0003664303.tif 000002
【図２】
0003664303.tif 000003
【図３】
0003664303.tif 000004
【図３Ａ】
0003664303.tif 000005
【図４】
0003664303.tif 000006
【図４Ａ】
0003664303.tif 000007
【図５】
0003664303.tif 000008
【図６】
0003664303.tif 000009
【図６Ａ】
0003664303.tif 000010
【図７】
0003664303.tif 000011
【図８】
0003664303.tif 000012
【図９】
0003664303.tif 000013